(57)【要約】【課題】本発明はＡＶ機器をはじめとする各種音響機器に使用されるスピーカに関するものであり、音質の向上を目的とするものである。【解決手段】本発明のスピーカは、フレーム１０の底面中央近傍に中央孔１０ｂを設け、前記フレーム１０の底面と磁気回路１の底面間に隙間Ｂを設けるためにフレーム１０に凸加工部１０ａを設けたものである。この構成により磁気ギャップ１ａに設けた空気孔１２ａにより、ボイスコイル６の上下駆動時の空気抵抗を減少させて音質の向上を図ると共に、これを部品点数や組み立て工数を増加させることなく行えるものである.。【選択図】図１
2005057640.tif 000002
【特許請求の範囲】
【請求項１】
少なくとも磁気ギャップを設けた磁気回路と、この磁気ギャップ内の底部に設けられた空気孔と、前記磁気回路を底部に配置してなるフレームと、一端側が前記磁気ギャップに挿入され、他端が振動板に固着されるボイスコイルと、内周がこのボイスコイルに結合され、外周がエッジ部を介して前記フレームと結合される振動板と、内周が前記ボイスコイルに結合され、外周が前記フレームに結合されたダンパーとで構成されるスピーカであって、前記フレームの底面中央近傍に中央孔を設け、前記フレーム底面と前記磁気回路底面間に隙間を設ける前記フレームおよび／または前記磁気回路に設けられた隙間形成手段を設けたスピーカ。
【請求項２】
請求項１に記載のスピーカにおいて、磁気回路の底面中央に磁気回路を貫通する貫通孔を設けたスピーカ。
【発明の詳細な説明】
【技術分野】
【０００１】
本発明は各種音響機器に使用されるスピ−カの音質や品質の改善に関するものである。
【背景技術】
【０００２】
従来のスピ−カについて、図３の側断面図により説明する。
【０００３】
同図によると、４は底面の外周に複数の空気孔４ａを設けたヨークであり、３はこのヨーク４に重畳して接着結合されたマグネットであり、２はこのマグネット３上に接着結合されたプレートであり、前記ヨーク４とマグネット３とプレート２で磁気回路１を形成している。
【０００４】
５はこの磁気回路１に接着結合されたフレームであり、６は前記磁気回路１の磁気ギャップ１ａに一端側が挿入され、他端が振動板８に接着結合されるボイスコイルであり、７は外周が前記フレーム５に接着結合され、内周が前記ボイスコイル６に接着結合されるダンパーであり、８は外周がエッジ部８ａを介して前記フレーム５に接着結合され、内周が前記ボイスコイル６に接着結合される振動板であり、９は前記ボイスコイル６を覆うようにボイスコイル６の上部に接着結合されたダストキャップである。
【０００５】
なお、５ａは前記ヨーク４に設けた空気孔４ａに対応して前記フレーム５に設けられた孔部である。
【０００６】
これによって、ボイスコイル６が外部からの音声入力信号に応じて上下駆動して振動板８を振動させ発音させるときに、磁気ギャップ１ａ内や磁気回路１と前記振動板８間の空気抵抗を減少させ、音質の向上を図るものである。
【０００７】
尚、磁気ギャップに空気孔を設けた先行技術文献情報としては、例えば、特許文献１や特許文献２が知られている。
【特許文献１】実開昭６２−１０９５９４号公報
【特許文献２】特開昭６２−１４０５９８号公報
【発明の開示】
【発明が解決しようとする課題】
【０００８】
以上の従来のスピーカは、音質向上のために前述の構成で磁気ギャップ１ａ内や磁気回路１の空気抵抗を減少させていたが、この種スピーカを密閉ボックス内に装着、密閉ボックス内の鉄粉や磁粉を除去して使用する場合を除き、この種密閉ボックスを使用しない場合には前記孔部５ａを防塵ネット等でカバ−し、鉄粉や磁粉の進入を防止して磁気ギャップ内に鉄粉や磁粉が進入して発生する可能性のある異常音を防止する必要があった（特に車載用のスピーカではその必要があった。）。
【０００９】
しかしながら、防塵ネット等の使用は孔部５ａの通気度を低下させ、また、組み立て工数の増加や部品点数の増加によるコスト上昇を招く、また、防塵ネット等の貼り付けに使用する接着剤のはみ出しによる外観不良を発生する可能性があるという課題を有するものであった。
【課題を解決するための手段】
【００１０】
上記課題を解決するために、本発明の請求項１に記載のスピーカは、フレームの底面中央近傍に形成された中央孔を設け、前記フレーム底面と前記磁気回路底面間に隙間を設ける前記フレームおよび／または前記磁気回路に設けられた隙間形成手段を設けたため、スピーカ外にある鉄粉や磁紛がスピーカに後部から進入したとしても、鉄粉や磁紛はフレームに設けた中央孔を通り、磁気回路の底面とフレームの間を通って磁気ギャップ内の底部に設けられた空気孔に到達することになり、磁気ギャップ内に進入する前に磁気回路に吸着することで磁気ギャップ内に鉄粉や磁粉が進入して発生する異常音の防止を部品点数や組み立て工数の増加を伴うことなく行えるものである。
【００１１】
本発明の請求項２に記載のスピーカの発明は、請求項１に記載のスピーカの磁気回路の底面中央に磁気回路を貫通する貫通孔を設けたものであり、鉄粉や磁紛はフレームに設けた中央孔を通り、前記貫通孔に進入することになり、磁気ギャップ内に鉄粉や磁粉が進入して発生する異常音の防止をより確実に行えるものである。
【発明の効果】
【００１２】
以上のように、本発明のスピーカは、磁気ギャップ内に空気孔を設けて磁気回路内の空気抵抗を減じて音質の向上を図ったスピーカを部品点数・組み立て工数の増加によるコストアップを招くことなく実現できるものである。
【発明を実施するための最良の形態】
【００１３】
以下、本発明の一実施の形態を図１〜図２により説明する。
【００１４】
なお、本発明の背景技術に記載した従来の技術で説明した部分と同一部分には同一番号を付与し、説明を省略して説明する。
【００１５】
（実施の形態１）
図１は本発明の発明のスピーカの一実施の形態の側断面図であり、図２は同底面図であり、主として請求項１および請求項２について説明するものである。
【００１６】
同図により、背景技術との相違点について説明すると、１０は磁気回路１をその底面に配置してなるフレームであり、このフレーム１０と磁気回路１との接合面のフレーム１０側には、フレーム１０の内側に向かう凸加工部１０ａが複数箇所施され、磁気回路１のヨーク１２とフレーム１０間に微小な隙間Ｂを設けている。
【００１７】
なお、フレーム１０の略中央には中央孔１０ｂが形成され、ヨーク１２には前記フレーム１０と対応する位置にマグネット３まで到達する貫通孔１２ｂが設けられ、また、磁気ギャップ１ａ内のヨーク１２の底部には空気孔１２ａが設けられている。
【００１８】
以上のように形成されたスピーカにおいては、フレーム１０の中央孔１０ｂから鉄紛や磁紛は進入するが、磁気ギャップ１ａまで到達するには磁気回路１とフレーム１０の隙間Ｂを通る必要があり、これらに吸着されて進入が阻止されることになる。
【００１９】
なお、本実施の形態においてはヨーク１２にマグネット３まで到達する貫通孔１２ｂ
を設けたことで、磁紛や鉄紛は貫通孔１２ｂの方向にも吸着されることになり、より鉄粉や磁紛の磁気キャップ１ａへの進入抑制の効果が向上することとなる。
【００２０】
また、磁気回路１のヨーク１２とフレーム１０間の微小な隙間は空気の流入を妨げない程度(通気度)で且つ貫通孔１２ｂにおける磁力やスピーカとしての寸法的な制約等から決められるものであるが、０．５ｍｍ〜３ｍｍ程度の範囲が最適である。
【００２１】
また、この隙間Ｂを本実施の形態ではフレーム１０に凸状の加工を行うことで設定したが、これはプレスのような曲げ加工で設定しても良く、ヨーク１２の底部に突起を形成することでも可能であり、以上のような隙間形成手段のうち最適なものを選択することが可能である。
【００２２】
なお、ヨーク１２の貫通孔１２ｂおよびフレーム１０の中央孔１０ｂはスピーカ組み立て時の位置決めや搬送時のガイド穴としても利用できるものである。
【００２３】
また、１５は前記ボイスコイル６の両端部が引き出されて夫々接続される端子板である。
【産業上の利用可能性】
【００２４】
本発明にかかるスピーカは、音質の向上を図ることが可能となるので映像・音響機器をはじめとする各種電子機器に搭載されるスピーカに使用されるものである。
【図面の簡単な説明】
【００２５】
【図１】本発明のスピーカの一実施の形態の側断面図
【図２】同底面図
【図３】従来のスピーカの側断面図
【符号の説明】
【００２６】
１  磁気回路
１ａ  磁気ギャップ
６  ボイスコイル
７  ダンパー
８  振動板
８ａ  エッジ
１０  フレーム
１０ａ  凸加工部
１０ｂ  中央孔
１２  ヨーク
１２ａ  空気孔
１２ｂ  貫通孔
Ｂ  隙間
【図１】
2005057640.tif 000003
【図２】
2005057640.tif 000004
【図３】
2005057640.tif 000005